(57)【要約】      （修正有）【課題】ジャンパーや作業衣等の表側に内ポケット入口を備え内部に入れた物を取り出し易くした上衣。【解決手段】本考案の上衣は、前身頃に前開き部が設けられたタイプのものであり、前開き部の近傍に内ポケット入口が設けられている。また、内ポケットは、内ポケット入口に連なるとともに表地と裏地の間に設けられている。内ポケットは、前身頃に設けられた前開き部の近傍に内ポケット入口がある。【選択図】図１
0003105329.tif 000002
【実用新案登録請求の範囲】
【請求項１】
前身頃に設けられた前開き部と、
前記前開き部の近傍に設けられた内ポケット入口と、
前記内ポケット入口に連なるとともに表地と裏地の間に設けられた内ポケットと、
を少なくとも備えていることを特徴とする上衣。
【請求項２】
前記前開き部には、前記前開き部を覆う前たてが備えられていることを特徴とする請求項１に記載された上衣。
【請求項３】
前記前開き部には、ファスナーおよび／またはボタン、ファスナーおよび／またはマジックファスナー、あるいはボタンおよび／またはマジックファスナーの少なくとも一組が備えられていることを特徴とする請求項１または請求項２に記載された上衣。
【請求項４】
前記上衣は、作業衣であることを特徴とする請求項１から請求項３のいずれか１項に記載された上衣。
【考案の詳細な説明】
【技術分野】
【０００１】
本考案は、ジャンパーや作業衣等の表側に内ポケット入口を備えた上衣（じょうい）に関するものである。
【背景技術】
【０００２】
従来の上衣は、外ポケットおよび内ポケットが設けられている。前記内ポケットは、上衣の前開きを開いた後、内ポケット入口から内ポケットの中身を取り出していた。しかし、上衣の前開きを常に開け放しにすると内ポケットの中身が取り出し易いが、客の前あるいは会社の規律としては、良くないという課題があった。また、回転する機械等が多数設置されている工場において、前記上衣の前開きを開け放しにすることは、前記前開きの一部を巻き込み危険である。
【考案の開示】
【考案が解決しようとする課題】
【０００３】
本考案は、以上のような課題を解決するものであり、前開きを閉じた状態であっても、内ポケットの中身が取り出し易い上衣を提供することを目的とする。また、本考案は、上衣の前たてにより、前開きおよび内ポケット入口を覆うようにして、内ポケットの中身が取り出し易いだけでなく、意匠を良くすることができる上衣を提供することを目的とする。
【課題を解決するための手段】
【０００４】
（第１考案）
第１考案の上衣は、前身頃に設けられた前開き部と、前記前開き部の近傍に設けられた内ポケット入口と、前記内ポケット入口に連なるとともに表地と裏地の間に設けられた内ポケットとを少なくとも備えていることを特徴とする。
【０００５】
（第２考案）
第２考案の上衣において、第１考案の前開き部には、前記前開き部を覆う前たてが備えられていることを特徴とする。
【０００６】
（第３考案）
第３考案の上衣において、第１考案または第２考案の前開き部には、ファスナーおよび／またはボタン、ファスナーおよび／またはマジックファスナー（登録商標）、あるいはボタンおよび／またはマジックファスナー（登録商標）の少なくとも一組が備えられていることを特徴とする。
【０００７】
（第４考案）
第４考案の上衣において、第１考案から第３考案の上衣は、作業衣であることを特徴とする。
【考案の効果】
【０００８】
本考案によれば、上衣の前をファスナーやボタン等によって完全に締めていても、内ポケットの内部のものを簡単容易に取り出すことができる。
【０００９】
本考案によれば、上衣を着た状態で身だしなみが完全であっても、必要に応じて、直ちに前たてを開けるだけで、内ポケットの内部のものを簡単容易に取り出すことができる。
【００１０】
本考案によれば、内ポケット入口を前たてにより覆っているため、内ポケット入口が外部から見えないにもかかわらず、内ポケットの内部のものを簡単容易に取り出すことができる。
【考案を実施するための最良の形態】
【００１１】
（第１考案）
第１考案の上衣は、前身頃に前開き部が設けられたタイプのものであり、前記前開き部の近傍に内ポケット入口が設けられている。また、内ポケットは、前記内ポケット入口に連なるとともに表地と裏地の間に設けられている。前記内ポケットは、前身頃に設けられた前開き部の近傍に内ポケット入口があるため、内部に入れた物を取り出し易い。また、前記内ポケット入口は、上衣の縦線（たとえば、ステッチ）と一致させるようにすることで、目立たず、使い勝手が良い。
【００１２】
（第２考案）
第２考案の上衣は、前開き部を覆う前たてが備えられているため、内ポケット入口が見えないため、意匠的にも優れたものとなる。
【００１３】
（第３考案）
第３考案の上衣は、前開き部に、ファスナーおよび／またはボタン、ファスナーおよび／またはマジックファスナー（登録商標）、あるいはボタンおよび／またはマジックファスナー（登録商標）の少なくとも一組が備えられている。すなわち、前記前開き部には、ファスナーだけ、ボタンだけ、マジックファスナー（登録商標）だけ、ファスナーとボタン、ファスナーとマジックファスナー（登録商標）、ボタンとマジックファスナー（登録商標）、ファスナーとマジックファスナー（登録商標）とボタンのいずれかを設けることができる。前記前開き部に設けられた複数の固着手段は、前記前たてにより覆われているため、上衣としての意匠を損なうことがない。
【００１４】
（第４考案）
第４考案の上衣は、作業衣、作業用ジャンパーであっても、前開き部をきちんと閉じた状態でも、内ポケットの内部の物を容易に取り出すことができる。
【実施例】
【００１５】
図１は本考案の実施例である上衣の外観図である。図２は本考案の実施例である上衣の前開き、前たて、内ポケットを説明するための図である。図３は、本考案の実施例である上衣の内ポケット部分におけるＡ−Ａ断面図である。図１ないし図３において、上衣１０は、右前身頃１１と、左前身頃１２と、前記前身頃１１、１２の後ろに隠れている後ろ身頃と、襟１３と、袖１４とから少なくとも構成されている。前記右前身頃１１と左前身頃１２は、前開きとなり、後述のファスナーまたはボタン等により締めることができる。
【００１６】
また、前記上衣１０は、必要に応じて、袖口１５と、脇締め部１６と、前たて１７と、外ポケット１８と、内ポケット入口１９とを備えている。また、前記上衣１０は、図２に示されているように、ファスナー２１と、前記ファスナー２１の下部に固定されているファスナー止め２２と、ファスナー２１を互いに接続するスライダー２３と、前ボタン２４、２５と、マジックファスナー（登録商標）２６、２６′と、前記内ポケット入口１９に連設される内ポケット２７とから構成されている。
【００１７】
前記内ポケット２７は、図３に示されているように、内ポケット入口１９が前たて１７の奥にあり、表地３１と裏地３２との間に設けられている。すなわち、前記内ポケット２７は、ファスナー２１、前ボタン２４、２５、およびマジックファスナー（登録商標）２６、２６′によって、閉じられていても、マジックファスナー（登録商標）２６を剥がすだけで、内ポケット入口１９から内ポケット２７の内部のものを取り出すことができる。
【産業上の利用可能性】
【００１８】
以上、本考案の実施例を詳述したが、本考案は、前記実施例に限定されるものではなく、実用新案登録請求の範囲に記載された事項を逸脱することがなければ、種々の設計変更を行うことが可能である。本考案の上衣は、形状そのものに特徴があるのではなく、内ポケット入口の位置と前たてにある。
【００１９】
したがって、本考案を構成する上衣、ファスナー、ボタン等の材質は、公知および周知のものを適用することができる。
【図面の簡単な説明】
【００２０】
【図１】本考案の実施例である上衣の外観図である。
【図２】本考案の実施例である上衣の前開き、前たて、内ポケットを説明するための図である。
【図３】本考案の実施例である上衣の内ポケット部分におけるＡ−Ａ断面図である。
【符号の説明】
【００２１】
１０・・・上衣
１１・・・右前身頃
１２・・・左前身頃
１３・・・襟
１４・・・袖
１５・・・袖口
１６・・・脇締め部
１７・・・前たて
１８・・・外ポケット
１９・・・内ポケット入口
２１・・・ファスナー
２２・・・ファスナー止め
２３・・・スライダー
２４、２５・・・前ボタン
２６・・・マジックファスナー（登録商標）
２７・・・内ポケット
３１、３１′・・・表地
３２、３２′・・・裏地
【図１】
0003105329.tif 000003
【図２】
0003105329.tif 000004
【図３】
0003105329.tif 000005